(57)【要約】【課題】ズボンやスカートの腰裏部分に固定するすべり止め部材であって、すべり止め以外の別の機能部材を着脱自在とする。【解決手段】すべり止め部材１は、一定の厚みを有するすべり止め主体２と、すべり止め主体２の裏面に貼着する基布３と、基布３の裏面に形成する加熱接着剤層４とで形成する。すべり止め主体２に貫通孔５、５を穿設しておき、貫通孔５内において雄スナップ9aを基布３に装着しておく。ウエストサイズ調整部材のように、すべり止め以外の機能を有する機能部材に、前記雄スナップ9aに着脱できる雌スナップ9bを備えておくことによって、機能部材を自由に着脱することができる。【選択図】  図１
2011026738.tif 000002
【特許請求の範囲】
【請求項１】
一定の厚みを有するシリコン樹脂などのすべり止め機能を有する材質で形成するすべり止め主体の複数位置に、雄又は雌のいずれか一方のスナップを配置することができる大きさの貫通孔を穿設し、すべり止め主体の裏面に基布を貼着し該基布の裏面に加熱接着剤層を形成することによって腰の裏側に加熱接着を可能とするとともに、前記すべり止め主体の貫通孔内において雄又は雌のいずれか一方のスナップを基布に装着し、雌又は雄のいずれか他方のスナップを備えた機能部材を着脱自在としたことを特徴とするズボンやスカートのすべり止め部材。
【請求項２】
すべり止め主体は、横長で横一列に貫通孔を配置し、貫通孔と貫通孔の間に溝を形成したことを特徴とする請求項１記載のズボンやスカートのすべり止め部材。
【請求項３】
すべり止め主体の外周に沿って、狭い幅の外周リブを残して溝を形成したことを特徴とする請求項１記載のズボンやスカートのすべり止め部材。
【請求項４】
すべり止め部材に装着する機能部材は、すべり止め部材の複数位置に配置した雄又は雌のいずれか一方のスナップに嵌合する雄又は雌のいずれか他方のスナップを備えた平板部に、スナップとスナップの間にあって一定の大きさに膨らんだ膨らみ部を備え、装着することによってウエストサイズを調整することができるウエストサイズ調整部材である請求項１ないし３記載のズボンやスカートのすべり止め部材。
【請求項５】
ウエストサイズ調整部材に形成する膨らみ部の内部に空洞を形成することを特徴とする請求項４記載のズボンやスカートのすべり止め部材。
【請求項６】
ウエストサイズ調整部材は、平板部の複数位置に膨らみ部を形成し、該膨らみ部と膨らみ部の間に折れ曲がり防止リブを形成したことを特徴とする請求項４又は５記載のズボンやスカートのすべり止め部材。
【請求項７】
すべり止め部材に装着する機能部材は、すべり止め部材のスナップに対して着脱可能なスナップを備え、マグネットを装着したマグネット取り付け部材であることを特徴とする請求項１ないし３記載のズボンやスカートのすべり止め部材。
【請求項８】
すべり止め部材に装着する機能部材は、すべり止め部材のスナップに対して着脱可能なスナップを備え、指圧突起を形成した指圧部材であることを特徴とする請求項１ないし３記載のズボンやスカートのすべり止め部材。
【請求項９】
すべり止め部材に装着する機能部材は、すべり止め部材のスナップに対して着脱可能なスナップを備え、消臭剤もしくは香料のカプセル収容部を備えたことを特徴とする請求項１ないし３記載のズボンやスカートのすべり止め部材。
【発明の詳細な説明】
【技術分野】
【０００１】
この発明は、ズボンやスカートのずり落ちを防止するすべり止め部材であって、別の機能部材を着脱することによって、例えばウエストサイズの調節といったすべり止め以外の機能を発揮することができるすべり止め部材に関する発明である。
【背景技術】
【０００２】
ズボンやスカートにおいて、腰裏部分に装着してすべり落ちを防止するすべり止め部材は、例えば特許文献１に開示されるように公知である。また、特許文献２や３に開示されるように、ウエストサイズを調整するために腰裏部分に配置した空気袋あるいは窩室に空気を入れることによって、該部分を膨らませズボンやスカートが着用者のウエストにフィットするようにウエストサイズの調整を行う思想が知られている。
【先行技術文献】
【特許文献】
【０００３】
【特許文献１】特開平１１‐２８６８０５号公報
【特許文献２】実開平６−５１２３１号公報
【特許文献３】実用新案登録第３０９２８３９号公報
【発明の概要】
【発明が解決しようとする課題】
【０００４】
特許文献２や３に開示されているウエストサイズの調整手段は、いずれも空気を入れることによって膨らませてサイズを調整するようにしている。また、特許文献１に記載されたすべり止め部材は、単機能であってウエストサイズの調整を行うことができない。特許文献２や３に開示されているウエストサイズの調整手段は一々空気を入れなければならず、また空気を入れるための道具が必要であるといった不便であった。
【０００５】
上記、従来技術の欠点に鑑み、本発明はズボンやスカートの腰裏部分に装着したすべり止め部材に、別の機能部材を着脱自在とすることによって、ウエストサイズの調整その他、すべり止め以外の機能を容易に付加することができるすべり止め部材を実現することを目的とするものである。
【課題を解決するための手段】
【０００６】
上記目的を達成するための請求項１記載のすべり止め部材１は、一定の厚みを有するシリコン樹脂などのすべり止め機能を有する材質で形成するすべり止め主体２と、すべり止め主体２の裏面に貼着する基布３と、基布３の裏面に形成する加熱接着剤層４とで形成する。すべり止め主体２には、雄又は雌のいずれか一方のスナップを配置することができる大きさの貫通孔５、５を穿設し、前記すべり止め主体の貫通孔５内において雄又は雌のいずれか一方のスナップを基布３に装着し、雌又は雄のいずれか他方のスナップを備えた機能部材を着脱自在とする。
【０００７】
請求項２記載の発明は、すべり止め主体２を横長とし横一列に貫通孔５、５を配置し、貫通孔５と貫通孔５の間に溝６を形成したことである。請求項３記載の発明は、すべり止め主体２の外周に沿って、狭い幅の外周リブ７を残して溝８を形成することである。
【０００８】
請求項４記載の発明は、すべり止め部材１に装着する機能部材について、すべり止め部材１の複数位置に配置した雄又は雌のいずれか一方のスナップに嵌合する雄又は雌のいずれか他方のスナップを備えた平板部12に、スナップ位置以外の部分に一定の大きさに膨らんだ膨らみ部13を備え、スナップを利用してすべり止め部材１に装着することによってウエストサイズを調整することができるウエストサイズ調整部材11とすることである。
請求項５記載の発明は、請求項４記載の発明において、ウエストサイズ調整部材11に形成する膨らみ部13の内部に空洞14を形成することである。
請求項６記載の発明は、すべり止め主体２の複数位置に膨らみ部13、13を形成し、該膨らみ部13と膨らみ部13の間に折れ曲がり防止リブ15を形成することである。
【０００９】
請求項７記載の発明は、すべり止め部材１に装着する機能部材としてマグネット16を装着することである。すなわち、機能部材としてすべり止め部材１のスナップに対して着脱可能なスナップを備え、マグネット16を装着したマグネット取り付け部材17としたものである。
請求項８記載の発明は、すべり止め部材１に装着する機能部材が、すべり止め部材１のスナップに対して着脱可能なスナップを備え、指圧突起19を形成した指圧部材18であること、請求項９記載の発明は、すべり止め部材１に装着する機能部材として、すべり止め部材１のスナップに対して着脱可能なスナップを備え、消臭剤もしくは香料のカプセル収容部20を備えることである。
【発明の効果】
【００１０】
請求項１記載の発明によれば、アイロンなどによる加熱接着で腰裏部分に簡単に取り付けることができるズボンやスカートのすべり止め部材１であって、すべり止め主体２の表面からスナップが突出しない状態で、ズボンやスカートのすべり止め機能を発揮させることができる。そして、すべり止め主体２の貫通孔５部分に配置したスナップに、適宜機能部材を装着することによってすべり止め以外の機能を発揮させることができる。
【００１１】
請求項２記載の発明によれば、溝６を形成することによって表面に凹凸条が表れるため、すべり止め効果が向上する。また、溝６の部分はすべり止め主体２の厚みが薄く熱伝導性が向上するため、すべり止め主体２と基布３の接合強度が増し、あるいはすべり止め部材１をズボンやスカートに強固に接着することができる。
【００１２】
請求項３記載の発明によれば、溝８を設けることによって形成される外周リブ７の存在によって、すべり止め主体１の周縁に例えば引っ掛かるような力が作用した場合に、作用した力が外周リブ７の撓みや弾性によって吸収され、すべり止め主体２と基布３との剥離、あるいはすべり止め部材１をズボンやスカートから剥離させようとする力を少なくすることができる。
【００１３】
請求項４記載の発明によれば、機能部材として膨らみ部13を形成したウエストサイズ調整部材11をスナップによって装着することによって、ウエストサイズを小さくする調節を簡単に行うことができるとともに、ウエストサイズ調整部材11を取り外すことによってウエストサイズを大きくする調整を容易に行うことができる。ウエストサイズの調整に際し、従来技術に記載したように空気袋あるいは窩室に空気を入れるといった面倒な作業を必要とせず装着するウエストサイズ調整部材11の膨らみ部13の大きさに応じて安定したウエストサイズの変更を行うことができる。
【００１４】
請求項５記載の発明によれば、請求項４記載のウエストサイズ調整部材11をすべり止め部材１に装着して実施する上において、空洞14の存在によって膨らみ部13の弾力性が増し、使用者のウエスト部分によりソフトにフィットし、使い心地のよいものとなる効果がある。また、空洞14の存在によって変形量が大きくなりウエストサイズの調整可能な範囲が大きくなる。
【００１５】
請求項６記載の発明によれば、請求項４記載の発明を実施する上において、平板部12に複数の膨らみ部13、13を形成することによってウエストサイズ調整部材11が使用者のウエスト部分により自然にフィットし、膨らみ部13と膨らみ部13の間において平板部12が不自然に鋭角的に折曲されることがなく、装着感に優れたものとすることができる。
【００１６】
請求項７記載の発明によれば、機能部材をマグネット取り付け部材16とすることによって、磁気治療の効果を発揮することができる。また、請求項８記載の発明によれば、機能部材を指圧部材18とすることによって指圧効果を発揮することができる。請求項７及び８のいずれの場合においても、普通にズボンやスカートをはいた状態で腰裏部分にマグネット17や指圧突起19が位置し、磁気治療効果や指圧効果を発揮させることができる。そして、これら機能部材は自由に取り外すことができ、必用なときにのみ装着して使用することができる。
【００１７】
請求項９記載の発明によれば、従来ズボンに装着されることがなかった消臭剤や芳香剤のカプセル収容部20を、機能部材としてすべり止め部材１に装着することによって簡単に形成することができ、必要に応じて汗などの臭い対策を講じることができる。
【図面の簡単な説明】
【００１８】
【図１】図１は、本発明に係るすべり止め部材の分解斜視図、
【図２】図２は、すべり止め部材の正面図、
【図３】図３は、図２のIII‐III線断面図、
【図４】図４は、すべり止め部材に装着するウエストサイズ調整部材の分解斜視図、
【図５】図５は、ウエストサイズ調整部材の背面斜視図、
【図６】図６は、ウエストサイズ調整部材の正面図、
【図７】図7は、ウエストサイズ調整部材の背面図、
【図８】図8は、図６のVIII−VIII線断面図、
【図９】図９は、すべり止め部材とウエストサイズ調整部材を分離させた状態の平面図、
【図１０】図１０は、すべり止め部材とウエストサイズ調整部材を結合させた状態の平面図、
【図１１】図１１は、すべり止め主体の別の実施形態を示す斜視図、
【図１２】図１２は、図１１の実施形態の正面図、
【図１３】図１３は、さらに別の実施形態を示す、すべり止め主体の正面図、
【図１４】図１４は、ウエストサイズ調整部材の膨らみ部と膨らみ部の間に折れ曲がり防止リブを形成した正面図、
【図１５】図１５は、膨らみ部と膨らみ部の間に折れ曲がり防止リブを形成したウエストサイズ調整部材の曲がり状態を示す平面図、
【図１６】図１６は、膨らみ部と膨らみ部の間に折れ曲がり防止リブを形成しないウエストサイズ調整部材の曲がり状態を示す平面図、
【図１７】図１７は、機能部材として一つのスナップに一つのマグネットを装着する実施形態の断面図、
【図１８】図１８は、機能部材としてすべり止め部材に装着する指圧部材の正面図、
【図１９】図１９は、カプセル収容部を形成したすべり止め部材に装着する機能部材の断面図。
【発明を実施するための形態】
【００１９】
以下、本発明に係るズボンやスカートのすべり止め部材の好ましい実施形態を添付の図面に基づいて説明する。
図１ないし図３に示すように、すべり止め部材１はすべり止め主体２と、基布３と加熱接着層４とで構成する。
【００２０】
すべり止め主体２は、シリコン樹脂や合成ゴム、主としてシリコン樹脂などすべり止め機能を有する一定の厚みｔの柔軟な材質によって成型する。すべり止め主体２は、その厚みｔを雄又は雌のいずれか一方のスナップ、例えば雄スナップ9aの取り付け面からの突出寸法とほぼ等しい厚みとし、横長円形の平板状に形成し、等間隔に三つの貫通孔５、５を穿設している。基布３は、すべり止め主体２と同一平面形状であって、適度な強度を備えた布製(織布もしくは不織布)として両者を接着するとともに、基布３の裏面に加熱接着剤層４を形成する。
【００２１】
すべり止め主体２は、シリコン樹脂を型に流し込んで成型する。このとき、型に流し込んだシリコン樹脂の上に基布３を配置し、シリコン樹脂製のすべり止め主体２と基布３の両者に熱を加えつつ加圧することによって、強固に熱接着させる。このようにして、シリコン樹脂製のすべり止め主体２が接着された基布３にホットメルトフィルムを重ねて熱を加えつつ加圧することによって熱接着し、加熱接着剤層４を形成する。加熱接着剤層４は、例えばホットメルト接着剤を塗布することによって形成することもできる。
【００２２】
すべり止め主体２と基布３が加熱接着され、加熱接着剤層４が形成されたものに、雄又は雌のいずれか一方のスナップ、図示例の場合雄スナップ9aを取り付ける。雄スナップ9aは、すべり止め主体２に穿設した貫通孔５の中心位置において、基布３に固定している。雄スナップ9aを基布３に装着するには、図１に示すように、断面略Ｔ字状の固定ピン10を用いる。すなわち、裏面側から固定ピン10の脚10aを加熱接着剤層４、基布３、及び雄スナップ9aの基板部分を貫通させてカシメル。具体的には図３に拡大図で示すように、スナップ９(雄スナップ9a、雌スナップ9b)を合成樹脂製とし、固定ピン10の脚10aの先端部分を熱によって溶融させて抜け止めを形成する。しかして、図２、図３に示す、すべり止め部材１を完成させることができる。
【００２３】
このようにして作られたすべり止め部材１は、加熱接着剤層４の面を腰裏に当接させ、アイロンなどによって加熱しながら加圧することによって接着することができる。このとき、雄スナップ9aの先端の高さをすべり止め主体２表面の高さをほぼ同一となるように、すなわち、すべり止め主体２の厚みをスナップの取り付け面からの突出寸法とほぼ等しくしておくと、すべり止め部材１を腰裏部分に熱接着する際、すべり止め主体全体になるべく均等に力を掛けることができ、強固に熱接着することができる。
【００２４】
また、雄スナップ9aの先端が、すべり止め主体２の表面から突出しないようにしておくと、すべり止め部材１を使用するとき、表面に余分なものが突出せず安心して使用することができる。そして、本発明のすべり止め部材１には、すべり止め主体２の貫通孔５内に、雄スナップ9aが位置する。そのため、この雄スナップ9aに、別の機能を発揮する機能部材を装着することによって、すべり止め以外の機能を付加することができる。
【００２５】
本発明者らは、代表的な機能部材として図４ないし図７に示す、ウエストサイズ調整部材11を発明した。図４ないし図７に示すウエストサイズ調整部材11は、すべり止め部材１と同一平面形状(長円形)の平板部12に、すべり止め部材１の雄スナップ9aと対応する位置に雌スナップ9bを配置し、すべり止め部材１に対して着脱自在としている。ウエストサイズ調整部材11に雌スナップ9bを取り付けるには、平板部12の背面において雌スナップ9bを背面方向に向けて配置し、平板部12の正面側から固定ピン10の脚1０aを、雌スナップ9bの基板部分を貫通させ、脚1０aの先端部分を熱によって溶融させて抜け止めを形成する。
図示実施形態においては、すべり止め部材１に雄スナップ9aを、ウエストサイズ調整部材11に雌スナップ9bを取り付けているが、逆に、ウエストサイズ調整部材11に雄スナップ9aを、すべり止め部材１に雌スナップ9bを取り付けるものであってもよい。
【００２６】
ウエストサイズ調整部材11の平板部12には、雌スナップ9bと雌スナップ9bの間に膨らみ部13を形成している。この膨らみ部13は、平板部12の幅を直径とする、断面略半円状(かまぼこ状)に形成し、膨らみ部13の内部を空洞、換言すればドーム状に形成している。ただし、空洞14内には、仕切り壁21を設け強度を向上させている。これにより、適度な柔らかさと一定の形を維持する保形強度を兼ね備えたものとしている。
【００２７】
ウエストサイズ調整部材11は、以上述べたように、平板部12に膨らみ部13を形成したものである。これを図９に示すように、腰裏部分に固定したすべり止め部材１の雄スナップ9aに、ウエストサイズ調整部材11の雌スナップ9bを係着させることによって、図10に示すようにウエストサイズ調整部材11をすべり止め部材１に簡単に装着することができる。図９に示すウエストサイズ調整部材11を装着する前の状態と、図10に示すウエストサイズ調整部材11を装着した状態とでは、主としてウエストサイズ調整部材11の膨らみ部13の存在によってウエストサイズを調整することができる。
【００２８】
このように、ウエストサイズ調整部材11を装着することによって、ウエストサイズが大きなズボンやスカートを、フィットするように調節して着用することができる。ウエストサイズ調整部材11を装着した状態で、ウエストサイズが大きくなった場合にはウエストサイズ調整部材11を取り外すことによって調節することが可能である。
すべり止め部材１に設ける雄ホック9aと、ウエストサイズ調整部材11に設ける雌ホック9bは、装着時の高さがほぼすべり止め主体２の厚みに等しいものとしておくと、すべり止め部材とウエストサイズ調整部材11を隙間無く装着することができるので好ましい。このことは、ウエストサイズ調整部材11に限らず他の機能部材においても同じである。
【００２９】
図示実施形態のウエストサイズ調整部材11は、膨らみ部13に適度な空洞14を形成したことによってソフトで使い心地が良いものとしている。そのため、ウエストサイズ調整部材11を常用するようにしておき、ウエストサイズが大きくなった場合に取り外すように使用することもできる。ウエストサイズの調整はダイエット対策や肥満対策に限らず、空腹時と満腹時(食前と食後)のいずれにおいてもズボンやスカートのウエストをフィットさせるように活用することもできる。
【００３０】
複数の膨らみ部13、13を形成したウエストサイズ調整部材11は、着用したときに図16に示すように、膨らみ部13と膨らみ部13の間で折れ曲がるように作用する。これを防止するには、図14に示すように膨らみ部13と13の間を掛け渡す如く、平板部12の両側に折れ曲がり防止リブ15、15を形成する。折れ曲がり防止リブ15を設けることによって急激な折曲状態が解消され、図15に示すように着用したときに滑らかに湾曲し、ウエストサイズ調整部材11を装着したズボンやスカートを、履き心地のよいものとすることができる。
【００３１】
ウエストサイズ調整部材11は、全体をすべり止め機能を有するシリコン樹脂とするのが好ましい。そして、平板部12は薄い板状に形成するが、例えば心材を配置するなどの手段によって、膨らみ部13よりも硬く高強度に成型するのが好ましい。それにより、スナップ(雌スナップ9b)の取り付け強度、ひいてはウエストサイズ調整部材11全体の強度を向上させることができる。
【００３２】
図17は、別の機能部材としてマグネット17を装着したマグネット取り付け部材16を、すべり止め部材１の雄スナップ9aに装着する実施形態を示すものである。マグネット取り付け部材16は、すべり止め主体２の平面形状と同じ平面形状であって雌スナップ9bを備えた平板状に形成し、その表面に複数のマグネットを配置したものであってもよい。しかしながら、図示実施形態のマグネット取り付け部材16は、すべり止め主体２の貫通孔５に入り込む大きさでの受け皿状であって、背面に雌スナップ9bを備え、一つのマグネット17を固定したものとしている。すなわち、雄スナップ9a、9aの各々に独立したマグネット取り付け部材16を装着するものである。
【００３３】
マグネット17を装着するには、先に述べたウエストサイズ調整部材11の膨らみ部13の内部、具体的には膨らみ部13の空洞14内に収容することもできる。この場合、ウエストサイズ調整部材11に、ウエストサイズ調整の効果併せて磁気治療の効果を発揮させることができる。さらに、空洞14を複数の部屋に仕切る仕切り壁21によって形成される小部屋にマグネットを嵌め込むようにすると、マグネットをしっかりと収容することができる。
【００３４】
図18は、機能部材を指圧部材とした実施形態である。この実施形態は、すべり止め主体２の平面形状と同じ平面形状であって雌スナップ9bを備えた平板状に形成し、その表面に複数の指圧突起19、19を形成したものである。この指圧部材18は、全体をすべり止め効果のあるシリコン樹脂製であって、ある程度硬めの指圧突起19を形成するのが好ましい。指圧突起19はその大きさ、数、硬さを適度に選定することができる。そのため、指圧突起19を平板状の指圧部材18とは別の材質で別体として製造し、両者を接合することもできる。
【００３５】
なお、ウエストサイズ調整部材11における膨らみ部13を指圧突起として機能させることができる。この場合、突起(膨らみ部)がある程度硬いことによって指圧効果を生じる。したがって、空洞のない膨らみ部、あるいは空洞14内にマグネットなどを装着して外部からある程度硬く感じるようにしておくのが好ましい。
【００３６】
図19は、機能部材としてカプセル収容部20を備えたカプセル取り付け部材22とした実施形態である。カプセル収容部20には、消臭剤や香水入りのカプセル23を収容する。これによって、エチケットとして汗の臭い対策を講ずることができる。カプセル23は、先に述べたウエストサイズ調整部材11の膨らみ部13の内部に収容し、ウエストサイズの調整と併せて臭い対策を行うようにすることもできる。
【００３７】
図１ないし図３に示す実施形態のすべり止め主体は、表面が平滑な平板状であって、三つの貫通孔５、５が穿設してある。これに対して、図11及び図12に示す実施形態のすべり止め部材１では、貫通孔５と貫通孔５の間を直線的に結ぶように、三つの溝６、６を形成している。貫通孔５、５間にそれぞれ三つの溝６を形成することによって、すべり止めの面となる表面に凹凸が形成され抵抗が大きくなり、すべり止め効果が増大する。また、溝６の部分の肉厚が薄くなるため、該部分における熱伝導率が向上し、すべり止め主体２と基布３、あるいはすべり止め部材１と腰裏部への熱接着強度が大きくなる。
【００３８】
図13に示す実施形態のすべり止め部材１のすべり止め主体２には、すべり止め主体２の外周に沿って、狭い幅の外周リブ７を残して溝８を形成している。この実施形態では、すべり止め主体２の外周部分に、大きな力が掛かった場合に、外周リブ７にのみ力が作用し、外周リブ７部分の弾性変形によって外力を吸収するように作用する。したがって、すべり止め主体２の外周部分に外力が作用しても、すべり止め主体２と基布３が剥がれにくく丈夫なものとすることができる。ひいては、ズボンの腰裏に接着したすべり止め部材１が剥がれにくいものとなる。
なお、すべり止め主体２はすべりにくく摩擦抵抗の大きなものであることから、着用した状態においてすべり止め主体１の周縁部に大きな力が作用する可能性が高い。
【００３９】
すべり止め部材１及びウエストサイズ調整部材11などの機能部材に装着するスナップは、両者を係合することができるものであればよく、材質や構造を特定するものではない。しかしながら、金属製ではなく、例えばポリエステル系の合成樹脂製とすれば、錆びないとともに検針器に対して反応しないので製造上有利である。
【００４０】
本発明に係る、ズボンやスカートのすべり止め部材は、腰裏部分に固定して常時すべり止め部材として機能させ、腰裏部分に固定した状態で洗濯する。一方、すべり止め部材に装着する機能部材は、着脱自在であるため、取り外して洗濯をする。したがって、洗濯の邪魔になることがなく洗濯によって機能部材が損傷するのを防止することができる。
【符号の説明】
【００４１】
１…すべり止め部材、  ２…すべり止め主体、  ３・・・基布、  ４・・・加熱接着剤層、  ５・・・貫通孔、  ６・・・溝、  ７・・・外周リブ、  ８…溝、  ９・・・スナップ、  9a…雄スナップ、  9b…雌スナップ、  10・・・固定ピン、  １０ａ…脚、  11・・・ウエストサイズ調整部材、  12・・・平板部、  13…膨らみ部、  14・・・空洞、  15…折れ曲がり防止リブ、  16・・・マグネット取り付け部材、  17…マグネット、  18…指圧部材、  19…指圧突起、  20…カプセル収容部、  21…仕切り壁、  22…カプセル取り付け部材、  23…カプセル。
【図１】
2011026738.tif 000003
【図２】
2011026738.tif 000004
【図３】
2011026738.tif 000005
【図４】
2011026738.tif 000006
【図５】
2011026738.tif 000007
【図６】
2011026738.tif 000008
【図７】
2011026738.tif 000009
【図８】
2011026738.tif 000010
【図９】
2011026738.tif 000011
【図１０】
2011026738.tif 000012
【図１１】
2011026738.tif 000013
【図１２】
2011026738.tif 000014
【図１３】
2011026738.tif 000015
【図１４】
2011026738.tif 000016
【図１５】
2011026738.tif 000017
【図１６】
2011026738.tif 000018
【図１７】
2011026738.tif 000019
【図１８】
2011026738.tif 000020
【図１９】
2011026738.tif 000021